(57)【特許請求の範囲】
【請求項１】
外装の内部に備える本体枠と、該本体枠内部に備えられ、食品を収容する加熱室と、マイクロ波を供給するためのマグネトロンと、前記加熱室の底部に備えられ、周囲がシールされている食品載置用底板と、該底板と前記本体枠との間に備えられ、前記マグネトロンの発振するマイクロ波を撹拝するために回転可能に構成される回転アンテナと、該回転アンテナ下方に備えられ、前記回転アンテナを回転させるためのモータ軸を有するモータと、前記回転アンテナが上端に固定され、前記モータのモータ軸と接続されるアンテナ軸と、筒形状を有して内側に前記アンテナ軸を収容し、前記本体枠に固定される軸受けと、を含む電子レンジであって、前記アンテナ軸と前記モータのモータ軸とは重ねて嵌め込まれるとともに、前記アンテナ軸と前記モータ軸との重なる距離は、前記回転アンテナの上面と前記底板との距離より大きくしていることを特徴とする電子レンジ。
【発明の詳細な説明】
【０００１】
【発明の属する技術分野】
本発明は、電子レンジに関し、特に、マイクロ波を拡散させるために回転するアンテナを搭載したタイプの電子レンジに関する。
【０００２】
【従来の技術および発明が解決しようとする課題】
従来の電子レンジには、マグネトロンの発振するマイクロ波を、加熱室内に拡散させて供給するために、回転可能なアンテナ（以下、「回転アンテナ」という）を備えるものがあった。図９に、従来の電子レンジの、回転アンテナの取付けられている部分を示す。なお、図９に示す電子レンジは、加熱室の下方に、回転アンテナが取付けられるタイプのものである。また、図９では、部分的に、電子レンジの断面が示されている。
【０００３】
図９を参照して、加熱室の底面９９の下方には、電子レンジの本体枠９８の一部に、回転アンテナ９０が取付けられている。
【０００４】
詳しくは、回転アンテナ９０は、まず、アンテナ軸９３の上端に嵌込まれ、ナット９４によりアンテナ軸９３に固定される。そして、アンテナ軸９３は、アンテナ軸受け９１に嵌込まれ、該アンテナ軸受け９１は、その外周部を、本体枠９８に、複数のピン９２で、固定される。なお、アンテナ軸受け９１が本体枠９８に固定される際、アンテナ軸９３の下部は、モータ軸９５に嵌込まれる。
【０００５】
ここで、アンテナ軸受け９１が本体枠９８に固定される際、ピン９２を本体枠９２に嵌込むが、このピン９２の嵌込みは、煩雑な作業であった。図９に示すように、アンテナ軸受け９１の上方には回転アンテナ９０が位置するため、この嵌込み作業は、本体枠９８と回転アンテナ９０とに挟まれる比較的狭い空間で行なわれることになるからである。つまり、従来の電子レンジでは、回転アンテナを搭載させる場合、該回転アンテナを取付けるために、煩雑な作業が必要とされるという不都合があった。取付け作業を容易にしようとすると、電子レンジ自体の構成が複雑化することが予測される。
【０００６】
本発明は、かかる実情に鑑み考え出されたものであり、その目的は、種々の利点を有しながらも容易に構成できる電子レンジを提供することである。
【０００７】
【課題を解決するための手段】
本発明のある局面に従った電子レンジは、外装の内部に備える本体枠と、該本体枠内部に備えられ、食品を収容する加熱室と、マイクロ波を供給するためのマグネトロンと、前記加熱室の底部に備えられ、周囲がシールされている食品載置用底板と、該底板と前記本体枠との間に備えられ、前記マグネトロンの発振するマイクロ波を撹拝するために回転可能に構成される回転アンテナと、該回転アンテナ下方に備えられ、前記回転アンテナを回転させるためのモータ軸を有するモータと、前記回転アンテナが上端に固定され、前記モータのモータ軸と接続されるアンテナ軸と、筒形状を有して内側に前記アンテナ軸を収容し、前記本体枠に固定される軸受けと、を含む電子レンジであって、前記アンテナ軸と前記モータのモータ軸とは重ねて嵌め込まれるとともに、前記アンテナ軸と前記モータ軸との重なる距離は、前記回転アンテナの上面と前記底板との距離より大きくしていることを特徴とする。
【０００８】
これにより、回転アンテナが回転してもアンテナ軸がモータのモータ軸から外れることはない。
【０００９】
【発明の実施の形態】
［第１の実施の形態］
以下に、本発明の一実施の形態である、回転可能なアンテナを備えた電子レンジについて、図面を参照しつつ説明する。図１は、電子レンジの斜視図である。
【００１０】
図１を参照して、電子レンジ１は、主に、本体２と、ドア３とからなる。本体２は、その外郭を、外装部４に覆われている。また、本体２の前面には、ユーザが、電子レンジ１に各種の情報を入力するための操作パネル６が備えられている。なお、本体２は、複数の脚８に支持されている。
【００１１】
ドア３は、下端を軸として、開閉可能に構成されている。ドア３の上部には、把手３ａが備えられている。図２に、ドア３が開状態とされたときの電子レンジ１を前方より見た、電子レンジ１の正面図を示す。
【００１２】
外装部４の内部には、本体枠（後述する本体枠５）が備えられている。本体枠５の内部には、加熱室１０が設けられ、また、本体枠５の前面には、前板５０が備えられている。加熱室１０の右側面上部には、孔１０ａが形成されている。孔１０ａには、加熱室１０の外側から、検出経路部材４０が接続されている。加熱室１０の底部には、底板９が備えられている。底板９上には、食品を載置できる。そして、底板９の周囲は、シリコン９９でシールされている。
【００１３】
図３は、電子レンジ１の、外装部４を取外した状態での、正面図である。前板５０には、加熱室１０を開放するための開口５１と、操作パネル６を嵌込むための孔５２が形成されている。
【００１４】
また、本体枠５の、加熱室１０の右隣には、マグネトロン１２が取付けられている。また、加熱室１０およびマグネトロン１２の下方には、導波管１９が取付けられている。マグネトロン１２は、導波管１９の一端に接続されている。導波管１９の他端は、本体枠５の底面であって、加熱室１０の下方に接続されている。マグネトロン１２は、マグネトロンアンテナ１２ａを備え、該マグネトロンアンテナ１２ａは、導波管１９の内部に位置している。
【００１５】
また、加熱室１０の下方には、回転アンテナ１５が備えられている。回転アンテナアンテナ１５は、複数の孔を形成された円盤形状を有している。図３では、その側面が示されている。回転アンテナ１５の下方であって、導波管１９の下方には、モータ１７が備えられている。モータ１７と回転アンテナ１５は、導波管１９を貫通している軸１６によって接続されている。軸１６は、後述するように、複数の部材により構成される。
【００１６】
モータ１７が駆動することにより、軸１６によって動力が伝えられ、回転アンテナ１５が回転する。そして、電子レンジ１では、マグネトロン１２の発振するマイクロ波は、導波管１９を介し、回転アンテナ１５により拡散されるように、加熱室１０内に供給される。また、該マイクロ波を加熱室１０内でさらに拡散させるため、加熱室１０の後面には、複数の凸部４５が形成されている。
【００１７】
加熱室１０の孔１０ａには、検出経路４０の一端が接続されている。検出経路４０の他端には、赤外線センサ７が取付けられている。赤外線センサ７は、検出経路４０を介して加熱室１０内の食品の発する赤外線を検出することにより、該食品の温度を検出できる。なお、検出経路４０の側面には、食品の発する蒸気で赤外線センサ７のレンズ部分が曇らないように、複数の小孔が形成されている。
【００１８】
次に、軸１６の構成について、説明する。図４は、図３の電子レンジ１の回転アンテナ１５付近の拡大図である。図４を参照して、軸１６は、アンテナ軸２０と、軸受け２２により構成されている。図４では、アンテナ軸２０および軸受け２２は、その縦断面が示されている。アンテナ軸２０は、その側面に、凸部２１を有する。凸部２１は、軸受け２２の上端に接している。軸受け２２は、その上端で凸部２１を支持することにより、アンテナ軸２０を支持する。
【００１９】
アンテナ軸２０は、その上端を、回転アンテナ１５の円盤の重心に、接続されている。なお、回転アンテナ１５は、アンテナ軸２０との接続部を、ネジ１５ａでネジ止めされることにより、アンテナ軸２０に固定される。また、アンテナ軸２０は、その下端を、モータ軸１７ａに接続されている。モータ軸１７ａは、モータ１７が駆動することにより回転する部材である。これにより、モータ１７が駆動すると、モータ軸１７ａおよびアンテナ軸２０を介して、回転アンテナ１５が回転する。なお、回転アンテナ１５は、図４の紙面に垂直な平面上を回転する。
【００２０】
図５（Ａ）は、軸受け２２の側面図であり、図５（Ｂ）は、軸受け２２の平面図である。また、図６は、図４のＶＩ−ＶＩ線に沿う、矢視断面図である。
【００２１】
まず、図６を参照して、軸受け２２およびアンテナ軸２０は、本体枠５に形成された孔５ａの内部に位置している。そして、アンテナ軸２０の凸部２１は、軸受け２２の上端に位置している。
【００２２】
図５を参照して、軸受け２２は、筒形状を有するが、その上端は、傾斜を有している（特に、図５（Ａ）参照）。したがって、回転アンテナ１５の回転に伴って凸部２１が回転した場合、凸部２１の高さが変化することになる。凸部２１の高さが変化することにより、アンテナ軸２０および回転アンテナ１５の高さも変化する。このことから、回転アンテナ１５は、モータ１７が駆動することにより、高さを変化させながら、回転することになる。
【００２３】
電子レンジ１では、このように、回転アンテナ１５が、その高さを変化させつつ回転することにより、加熱室１０に、より多くのモードで、マイクロ波を供給することができる。
【００２４】
つまり、本実施の形態では、軸受け２２により、回転アンテナの回転角度に応じて、アンテナ軸の高さが変化するように該アンテナ軸を支持する、アンテナ軸受けが構成されている。
【００２５】
なお、回転アンテナの回転に応じてアンテナ軸の高さを変化させる態様は、本実施の形態における態様に限定されない。
【００２６】
ただし、本実施の形態では、軸受け２２の形状を工夫することにより、上記のようにアンテナ軸２０の高さを変化させている。具体的には、軸受け２２は、アンテナ軸２０を凸部で支持し、該凸部を支持する部分である上端において、アンテナ軸２０の回転方向に傾斜を有することにより、アンテナ軸２０の高さを変化させている。電子レンジ１がこのように構成されることにより、より容易に、回転アンテナの回転に応じてアンテナ軸の高さを変化させることができる。
【００２７】
［第２の実施の形態］
次に、本発明の第２の実施の形態の電子レンジについて説明する。なお、本実施の形態の電子レンジは、第１の実施の形態として説明した電子レンジ１の、回転アンテナ１５およびその付近の構造のみを変更したものであるため、重複する説明は省略する。
【００２８】
図７に、本実施の形態の電子レンジの回転アンテナ付近の拡大図を示す。
【００２９】
図７を参照して、回転アンテナ３５は、大まかには、鍋蓋を裏返しにしたような形状を有している。つまり、円盤形状を有する円形部３５ａと、該円形部３５ａの中央部に接続された、筒状部３５ｂを有している。これにより、回転アンテナ３５は、筒状部３５ｂを軸として、紙面に垂直な方向に回転する。回転アンテナ３５は、たとえば、円盤状の板体の中心部を引っ張るように変形させることにより、構成することができる。
【００３０】
筒状部３５ｂの上端は、円形部３５ａに接続されている。一方、筒状部３５ｂの下端は、底を有しているが、該底には、円形の孔が形成されている。そして、該円形の孔には、モータ軸１７ａが嵌込まれている。なお、該円形の孔は、モータ軸１７ａの断面形状に合わせた形状を有している。これにより、モータ１７が駆動することにより、その動力が、モータ軸１７ａおよび筒状部３５ｂを介して伝えられることにより、回転アンテナ３５が回転できる。
【００３１】
筒状部３５ｂの下端は、導波管１９内に位置している。そして、導波管１９の底と筒状部３５ｂの下端との間には、軸受け３１が備えられている。軸受け３１の上端は、筒状部３５ｂに接している。また、軸受け３１の下端は、導波管１９に接している。軸受け３１は、筒状部３５ｂと導波管１９との間の、スペーサとしての機能を有する。
【００３２】
また、円形部３５ａの上面には、スペーサ３２が取付けられている。詳しくは、円形部３５ａの外縁部分の複数の箇所に、直径５ｍｍ程度の円筒状のスペーサ３２が取付けられている。スペーサ３２の上端は、底板９に接している。スペーサ３２の高さ方向の寸法（Ｌｓ）は、回転アンテナ３５の中央部付近と底板９の高さ方向の距離（Ｌｃ）よりも、長くなっている。これにより、回転アンテナ３５は、中央部から外縁部に向けて、たわむようになる。
【００３３】
回転アンテナ３５は、スペーサ３２と底板９が接した状態で、回転する。このことから、スペーサ３２は、耐摩耗性に優れた材質、たとえば、シリコンから構成されることが好ましい。
【００３４】
以上説明した本実施の形態では、回転アンテナ３５は、軸受け３１とスペーサ３２によって、電子レンジ内の所定箇所に、上下方向について、固定される。つまり、本実施の形態の電子レンジでは、回転アンテナ３５を固定する際、煩雑なネジ止等の作業を必要としない。
【００３５】
なお、スペーサ３２の高さ方向の寸法（Ｌｓ）は、回転アンテナ３５の中央部付近と底板９の高さ方向の距離（Ｌｃ）と同じであれば、回転アンテナ３５を軸受け３１とスペーサ３２によって固定できる。ただし、本実施の形態のように、ＬｓをＬｃよりも長くすることにより、より安定して、回転アンテナ３５を固定できる。
【００３６】
［第３の実施の形態］
次に、本発明の第３の実施の形態の電子レンジについて説明する。なお、本実施の形態の電子レンジは、第１の実施の形態として説明した電子レンジ１の、回転アンテナ１５およびその付近の構造のみを変更したものであるため、重複する説明は省略する。
【００３７】
図８に、本実施の形態の電子レンジの回転アンテナ付近の拡大図を示す。
【００３８】
図８を参照して、回転アンテナ４５は、複数の孔を形成された円盤の形状を有している。回転アンテナ４５の中央部には、アンテナ軸４４が接続されている。アンテナ軸４４は、その上端を、回転アンテナ４５の中央部に嵌込まれた後、回転アンテナ４５に向けて折返されている。これにより、回転アンテナ４５は、アンテナ軸４４に固定されている。そして、回転アンテナ４５は、アンテナ軸４４を軸として、紙面に垂直な方向に回転する。
【００３９】
アンテナ軸４４の外側には、軸受け４１が備えられている。軸受け４１は、筒形状を有し、内側にアンテナ軸４４を収容している。軸受け４１には複数の突起４２が取付けられており、当該突起４２を本体枠５の所定の位置に形成された孔に嵌込まれることにより、軸受け４１は、本体枠５に固定される。
【００４０】
本実施の形態の電子レンジは、本体枠５に軸受け４１を固定する。その一方で、アンテナ軸４４に回転アンテナ４５を固定した後、アンテナ軸４４を軸受け４１およびモータ軸１７ａに嵌込み、回転アンテナ４５の上から、底板９を設置する。これにより、回転アンテナ４５の取付けに際し、図９を用いて説明したような煩雑なネジ止等の作業が必要とされることがない。
【００４１】
なお、アンテナ軸４４は、モータ軸１７ａに対して、高さ方向にＲａだけ重なるように、嵌込まれている。また、回転アンテナ４５の上面には、凸部４５ａが形成されている。凸部４５ａは、たとえば、回転アンテナ４５を座押しすることにより、形成することができる。凸部４５ａの最上部と底板９との、高さ方向の距離は、Ｒｂとされている。そして、本実施の形態では、Ｒａ＞Ｒｂとなっている。これにより、回転アンテナ４５が回転しても、アンテナ軸４４がモータ軸１７ａから外れることはない。
【００４２】
回転アンテナ４５がＲｂ以上上方向に移動しようとすると、底板９により、下方に押し戻される。そして、アンテナ軸４４は、モータ軸１７ａとＲａだけ重なりを有しているので、Ｒａ以下の長さだけ上方に移動しても、モータ軸１７ａから外れることはないからである。
【００４３】
本実施の形態では、凸部４５ａにより、回転アンテナの回転方向と交わる方向について電子レンジの中のいずれかの壁面との隙間が所定の長さ以下となるようなスペーサが構成されている。
【００４４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】  本発明の第１の実施の形態である電子レンジの斜視図である。
【図２】  図１の電子レンジのドアが開状態とされた場合の正面図である。
【図３】  図１の電子レンジの本体枠部分の正面図である。
【図４】  図３の電子レンジの回転アンテナ付近の拡大図である。
【図５】  （Ａ）は図４の軸受けの側面図であり、（Ｂ）は平面図である。
【図６】  図４のＶＩ−ＶＩ線に沿う、矢視断面図である。
【図７】  本発明の第２の実施の形態である電子レンジの、回転アンテナ付近を示す図である。
【図８】  本発明の第３の実施の形態である電子レンジの、回転アンテナ付近を示す図である。
【図９】  従来の電子レンジの回転アンテナ付近を示す図である。
【符号の説明】
１  電子レンジ、５  本体枠、１０  加熱室、１５，３５，４５  回転アンテナ、２０，４１  アンテナ軸、２１  凸部、２２，４４  軸受け。
【図１】
0003668181.tif 000002
【図２】
0003668181.tif 000003
【図３】
0003668181.tif 000004
【図４】
0003668181.tif 000005
【図５】
0003668181.tif 000006
【図６】
0003668181.tif 000007
【図７】
0003668181.tif 000008
【図８】
0003668181.tif 000009
【図９】
0003668181.tif 000010